(57)【特許請求の範囲】
【請求項１】
複数のＬＥＤが載置される基板と、該基板が固定されるケースおよび該ケースの外面に形成される複数の放熱フィンとを有するヒートシンクとを備え、前記ケースを天井や壁に固定するためのアームを有する照明装置において、照明装置本体の半径より短い天井取付アームと、該天井取付アームとは別体で、かつ前記照明装置本体の半径より長い壁取付アームとを有し、該壁取付アームは、前記天井取付アームに固定可能であることを特徴とする照明器具。
【請求項２】
請求項１に記載の照明器具において、前記壁取付アームは、前記壁取付アームの壁部とのなす角が略直角な横板部と、前記横板部から延在し前記横板部とのなす角αが鈍角（９０°＜α＜１８０°）になる板状延在部からなることを特徴とする照明器具。
【発明の詳細な説明】
【技術分野】
【０００１】
本発明は照明器具に関する。
【背景技術】
【０００２】
現在、様々な製品において省エネルギー化の動きが進んでいる。省エネルギー化の動きに伴い、照明業界では、発光効率が良く省エネルギーなＬＥＤを光源としたものの需要が高まってきている。家庭用照明においては白熱電球からＬＥＤ電球へと切替が進んでいる。
【０００３】
これまで工場などの照明には、電灯よりも長寿命であり、明るく照射することのできる水銀灯が用いられていた。ただし、ＬＥＤ照明装置は水銀灯と比べると長寿命であり、水銀灯と同様に明るく照射することができ、水銀灯よりも始動性が良く、水銀灯よりも消費電力を減らすことができるため、工場などの照明にもＬＥＤを光源としたものが望まれている。
工場などの照明にＬＥＤを光源としたものには特許文献１のような構造がある。
【先行技術文献】
【特許文献】
【０００４】
【特許文献１】特開２０１４−２０３７２０号公報
【発明の概要】
【発明が解決しようとする課題】
【０００５】
ところで、重量があるＬＥＤ照明装置を天井から吊り下げるためにＬＥＤ照明装置にはアームが取り付けられているが、天井だけでなく壁にも取り付けられるようにアームを共用するとアームの回動を考慮してアームの全長を伸ばす必要があり、アームの全長を伸ばすとＬＥＤ照明装置と床面との距離が短くなるので配光範囲が狭くなる恐れがある。
特許文献１は、アーム横板部の天井取付面と照明装置本体底面部が略平行な状態の場合や、さらに６０°まで傾けて取付ける状態の場合であり、アーム横板部を照明装置本体取付部から直角に曲げるなどして壁に取付けた状態の場合は想定していない。
本発明は、天井取付けと壁取付けを選択でき、かつ配光範囲が良好になるアーム形状を有するＬＥＤ照明器具の提供を目的とする。
【課題を解決するための手段】
【０００６】
前記課題を解決するため、本発明の照明器具は、複数のＬＥＤが載置される基板と、該基板が固定されるケースおよび該ケースの外面に形成される複数の放熱フィンとを有するヒートシンクとを備え、前記ケースを天井や壁に固定するためのアームを有する照明装置において、照明装置本体の半径より短い天井取付アームと、該天井取付アームとは別体で、かつ前記照明装置本体の半径より長い壁取付アームとを有し、該壁取付アームは、前記天井取付アームに固定可能であることを特徴とする。
【発明の効果】
【０００７】
本発明によれば、前記照明装置本体の最大半径より全長が短い天井取付アームと、該天井取付アームとは別体で、かつ前記照明装置本体の最大半径より全長が長い壁取付アームと、を有することで、天井取付けか壁取付けを選択でき、かつ配光範囲が良好になるアーム形状を有するＬＥＤ照明器具を提供することができる。
【図面の簡単な説明】
【０００８】
【図１】(ａ)は本発明の実施形態に係る照明装置を天井に取り付けた状態を示す斜視図。(ｂ)は本発明の実施形態に係る照明装置を露出ボックスに取り付けた状態を示す斜視図。(ｃ)は本発明の実施形態に係る照明装置を壁に取り付けた状態を示す斜視図。
【図２】図１(a)の側面図。
【図３】図２の縦断面図。
【図４】図２の照明装置を斜め上方から見た斜視図。
【図５】図２の照明装置を斜め下方から見た斜視図。
【図６】図２の照明装置を下方から見た下面図。
【図７】照明装置を斜め下方から見た一部断面を含む斜視図。
【図８】(ａ)は照明装置が略横向きに取り付けている状態を示す図。(ｂ)は照明装置が略横向きに取り付けた際の強度フィン部の模式図。(ｃ)は照明装置が略横向きに取り付けた際の強度フィンのピッチを４５度にした際の模式図。
【図９】配光角度を表わす模式図。
【図１０】照明装置の分解図。
【図１１】放熱用ヒートシンクにおけるフィンのピッチに対するＬＥＤモジュールの温度上昇とその重量の関係を示す図。
【図１２】(ａ)は壁取付アームを斜め上方から見た斜視図。(ｂ)は壁取付アームの上面図。(ｃ)は壁取付アームの側面図。
【図１３】(ａ)は壁取付状態の照明装置側面図。(ｂ)は壁取付状態（最大可動時）の照明装置側面図。
【図１４】(ａ)は天井取付アーム／壁取付アーム共用の場合の照明装置側面図。(ｂ)は天井取付アーム／壁取付アーム別体の場合の照明装置側面図。
【発明を実施するための形態】
【０００９】
以下、本発明の実施形態について、適宜図面を参照しながら詳細に説明する。
図１（ａ）は本発明の実施形態に係る照明装置を天井に取り付けた状態を示す斜視図である。図１（ｂ）は本発明の実施形態に係る照明装置を露出ボックスに取り付けた状態を示す斜視図である。図１（ｃ）は本発明の実施形態に係る照明装置を壁に取り付けた状態を示す斜視図である。
図２に照明装置の側面図である図１(a)の側面図を示し、図３に図２の縦断面図を示す。
【００１０】
本実施形態の照明装置Ｓ(図１参照)は、ＬＥＤ(Light Emitting Diode)を用いる照明装置であり、放熱性を高めたこと、効率を向上させたことに特徴がある。
図１に示すように、照明装置Ｓは、天井や壁などに取り付けられ使用されるものである。
【００１１】
詳細には、照明装置Ｓは、天井や露出ボックスＲにボルトで固定したり、壁取付アームｋ3を介して壁にボルトで固定して取り付ける。照明装置Ｓを取り付けることにより、照明装置Ｓとは別体の電源装置ｋ１に電気的に接続され点灯する。
【００１２】
このように、照明器具Ｋは、電源装置ｋ１と照明装置Ｓとを具備しており、露出ボックスＲに取付ける場合は別体の連結板ｋ２、壁に取付ける場合は別体の壁掛けアームｋ３もそれぞれ具備している。照明器具Ｋは、工場などの高い所に設置される場合が多く、軽量化が重要となっている。また、照明器具Ｋは、当然に効率や明るさが重要である。
図１に示すように、本実施形態における照明装置Ｓと電源装置ｋ１とは別置されるものである。照明装置Ｓは、前述のように天井に取付けられ、または、連結板ｋ２を介して露出ボックスＲや、壁取付アームｋ３を介して壁に取付けられ、電源装置ｋ３は天井の上等に載置される。換言すると、照明装置Ｓには、別置された電源装置ｋ１で変換された直流電源が入力される。電源装置ｋ１を照明装置Ｓの内部に有さず、別置とすることにより、照明装置Ｓの軽量化を図ることができるという効果を奏する。
【００１３】
図４に図２の照明装置を斜め上方から見た斜視図(図２のＢ方向矢視図)を示し、図５に図２の照明装置を斜め下方から見た斜視図(図２のＣ方向矢視図)を示す。
【００１４】
また、図６に図２の照明装置を下方から見た下面図(図２のＤ方向矢視図)を示し、図７に照明装置を斜め下方から見た一部断面を含む斜視図を示す。
照明装置Ｓは、放熱用ヒートシンク１とＬＥＤ基板アセンブリ２(図５参照)と本体支持ケース３ａと本体支持ケースカバー３ｂと天井取付けアーム５とを備えている。
【００１５】
図３に示すように、放熱用ヒートシンク１の円錐台状のケース１ａの下部には、封止用パッキンＡ７を挟んで、透光性カバー４が、６か所のねじｎ１によって固定されている。封止用パッキンＡ７は、ゴムなどで形成され、大きな径の輪状の形状を有する部品である。
また、本体支持ケース３ａと放熱用ヒートシンク１とは、封止用パッキンＢ８を挟んでねじｎ２によって固定されている。
【００１６】
＜放熱用ヒートシンク１＞
放熱用ヒートシンク１は、例えばアルミニウムを素材にアルミダイカストで形成されるものである。放熱用ヒートシンク１の素材は、放熱性があって重量が軽いものが使用される。放熱用ヒートシンク１は、表面にアルマイト処理や塗装が行われる。
【００１７】
図５、図６に示すように、放熱用ヒートシンク１は、ＬＥＤ基板アセンブリ２が設置されるとともにＬＥＤモジュール２ａから生ずる熱を放熱する部材である。
放熱用ヒートシンク１は、ＬＥＤ基板アセンブリ２(図５参照)が載置されるケース１ａと複数のフィン１ｂと３つの強度フィン１ｃ(図４参照)とを有している。
【００１８】
フィン１ｂは、ケース１ａの側部および上部の外面に形成され、ＬＥＤ基板アセンブリ２で生ずる熱が伝達され放熱を行う。
強度フィン１ｃは、ケース１ａの側部および上部の外面に形成され、放熱用ヒートシンク１の強度部材であるとともにＬＥＤ基板アセンブリ２で生ずる熱が伝達され放熱を行う。
【００１９】
＜ケース１ａ＞
図２、図４に示すように、ケース１ａは、低い高さの円錐台の形状を呈している。つまり、ケース１ａは、円板状の天板１ａ１と下方に向けて円錐状に広がる円錐板１ａ２とを有している。
【００２０】
円板状の天板１ａ１の内面には後記のＬＥＤ基板アセンブリ２(図３参照)が設置されている。傾斜面の円錐板を成す円錐板１ａ２は、鉛直方向に対して略２０度の傾斜を有している。
【００２１】
円錐板１ａ２の内面には、ＬＥＤ基板アセンブリ２を構成するＬＥＤモジュール２ａから発する光を反射して、中央に集光するリフレクタ１ａｒが形成されている。リフレクタ１ａｒは円錐板１ａ２の内面に高反射率の反射材が塗布され形成される。なお、リフレクタ１ａｒは反射材の塗布に限るものではなく、ＬＥＤモジュール２ａから発する光を反射する機能を有していれば良い。高反射フィルムを用いるなどしてもよい。
【００２２】
＜フィン１ｂ＞
図４、図５に示す複数のフィン１ｂは照明装置Ｓの中心(中心軸Ｏ)から放射状にケース１ａ外面から側部および下部(図２参照)および上部にそれぞれ外方に向けて立設されている。複数のフィン１ｂはピッチθ１が８度の間隔をもって形成されている。
【００２３】
フィン１ｂが、ケース１ａ外面から側部に側縁１ｓから外方に向けて立設されることにより、放熱用ヒートシンク１に伝達される熱を、フィン１ｂを介して、ケース１ａの側方の外部空間に効率的に放熱することができる。
また、フィン１ｂが、ケース１ａ外面から上部に外方に向けて立設されることにより、放熱用ヒートシンク１に伝達される熱を、フィン１ｂを介して、ケース１ａの上方の外部空間に効率的に放熱することができる。
【００２４】
また、フィン１ｂが、ケース１ａ外面から下縁１ｕ(図２、図３参照)から下方に向けて立設されることにより、放熱用ヒートシンク１に伝達される熱を、フィン１ｂを介して、下方の外部空間に効率的に放熱することができる。
【００２５】
図２に示すように、フィン１ｂは、頂部から下方にいくに従って次第に厚さが厚くなり、ある高さから下方にいくに従って次第に厚さが薄くなっている。換言すれば、フィン１ｂは、中央下部から上部にかけて厚さが次第に厚くなり、中央下部から下部にかけて厚さが次第に薄くなっている。
【００２６】
フィン１ｂが中央下部から上部にかけて厚さが次第に薄くなることで、フィン１ｂから伝達される熱を含む空気が、フィン１ｂ間から円滑に上方に逃げることができる。また、フィン１ｂが中央下部から下部にかけて厚さが次第に薄くなることで、外部空間の冷たい空気が円滑に放熱用ヒートシンク１の下方からフィン１ｂ間に入り込むことができる。
このような、フィン１ｂの形状により、放熱用ヒートシンク１の成型の際、上下からの型抜きが良好に遂行できる。
【００２７】
また、フィン１ｂの中央側は、外方に傾斜する傾斜面１ｂ１(図２参照)とされている。傾斜面１ｂ１の鉛直方向に対する傾斜角度は、ＬＥＤモジュール２ａからの光の進行を妨げないように、後記するリフレクタ１ａｒ(図７参照)の傾斜角度より大きな角度とされている。
【００２８】
＜強度フィン１ｃ＞
図２〜図４に示す３つの強度フィン１ｃは、放熱用ヒートシンク１の強度部材であるとともにフィンとしての放熱の用も果たしている。
強度フィン１ｃは、照明装置Ｓの中心(中心軸Ｏ)から放射状に略１２０度の間隔をもって、ケース１ａの上面および外側面に、中央部から外方に向けて形成されている。
【００２９】
強度フィン１ｃは、フィン１ｂより大きな形状を有している。詳細には、強度フィン１ｃは、ケース１ａ外面の上部にフィン１ｂより大きな形状を有している(図４参照)。
【００３０】
強度フィン１ｃが、ケース１ａ外面から側部に外方に向けて立設されることで、放熱用ヒートシンク１の熱を、強度フィン１ｃを介して、ケース１ａの側方の外部空間に効率的に放熱することができる。
また、強度フィン１ｃが、ケース１ａ外面から上部に外方に向けて立設されることで、放熱用ヒートシンク１の熱を、強度フィン１ｃを介して、ケース１ａの上方の外部空間に効率的に放熱することができる。
【００３１】
加えて強度フィン１ｃが放熱用ヒートシンク１の中心(中心軸Ｏ)から放射状に略１２０度の間隔(ピッチ)をもって形成されることにより、照明装置Ｓが斜めに設置された場合に、ＬＥＤモジュール２ａの熱で温められた空気が、照明装置Ｓの上方に逃げ易く放熱性に優れるという効果がある。
【００３２】
図８(ａ)に示すように、照明装置Ｓが略横向きや傾けて取り付けられた場合、図８(ｂ)の矢印に示すように、ＬＥＤモジュール２ａで発生した熱で温められた空気(熱風)が強度フィン１ｃの間にこもらず、良好に上方の外部空間に逃がすことができる。
【００３３】
このように、３つの強度フィン１ｃが略１２０度のピッチで形成される場合、温かい空気の分流効果があり、温かい空気の流れをそらし逃がす効果がある。
なお、図８(ｃ)に示すように、４５度のピッチで形成した強度フィン１ｃの場合、照明装置Ｓが略横向きや斜めに取り付けられた場合、強度フィン１ｃ間に熱風が滞留する恐れがある。この場合、同様の効果を奏するためには、傾きの角度を１２０度のピッチに比べて大きくする必要が生じる。
【００３４】
このように、放熱用ヒートシンク１では、中央部までの長さをもつ３つの大きな強度フィン１ｃとその間の小さなフィン１ｂとで、放熱用ヒートシンク１の放熱効率の向上を効果的に行える。
【００３５】
＜ＬＥＤ基板アセンブリ２＞
図５、図７に示すように、ケース１ａの天板１ａ１の内面には、ＬＥＤ基板アセンブリ２が、ねじｎ３留めにより固定されている。
ＬＥＤ基板アセンブリ２は、多数のＬＥＤモジュール２ａとＬＥＤモジュール２ａが実装されるＬＥＤ用ベース基板２ｂとを有している。
【００３６】
＜ＬＥＤモジュール２ａ＞  
ＬＥＤモジュール２ａは、照明器具Ｋの照明装置Ｓの光源であり、図５に示すように、ＬＥＤ用ベース基板２ｂ上に円環である帯状に実装されている。
ＬＥＤモジュール２ａの一部は、沿直方向の照明装置Ｓの中心軸Ｏから放射状に角度θ２が、略８度の間隔(ピッチ)をもって配置されており、沿直方向で放熱用ヒートシンク１のフィン１ｂと重なるように配置されている。
【００３７】
これにより、フィン１ｂと重なって配置されるＬＥＤモジュール２ａで発生する熱は、距離が近い当該フィン１ｂに良好に伝達され、当該フィン１ｂを介して、効率的に外部空間に放熱される。
【００３８】
また、フィン１ｂと重なるように配置されるＬＥＤモジュール２ａ以外のＬＥＤモジュール２ａの半数以上は、円環状を成す帯状の略中間箇所のラインＣ１(図６参照)より外周側、つまりラインＣ１より外側に配置されている。つまり、円環状を成すＬＥＤモジュール２ａの帯列の内縁２ａ１と外縁２ａ２との中間ラインであるラインＣ１より外側に配置されている。
【００３９】
これにより、ラインＣ１より外側に配置されるＬＥＤモジュール２ａの光が放熱用ヒートシンク１のケース１ａ内面のリフレクタ１ａｒ(図５、図７参照)で反射され、中央側(中心軸Ｏ側)に集められる。
そのため、配光角度を８０度〜１００度にすることができ、照度のアップを図ることができる。
【００４０】
図９に配光角度を表わす模式図を示す。
図９に示すように、配光角度とは、照明装置Ｓの光の最大強さpeak値のところを中心線として、光の最大強さpeak値の１／２の強さの箇所を結んだ線間の角度θ３をいう。
【００４１】
ここで、図３に示すように、ＬＥＤ用ベース基板２ｂのＬＥＤモジュール２ａの実装面２ｂ１からリフレクタ１ａｒの下縁までの鉛直方向寸法Ｌ１と、円環の帯状のＬＥＤモジュール２ａの帯列の中心であるラインＣ１と円環状のＬＥＤモジュール２ａの外縁(円環状のＬＥＤモジュール２ａの最も外側の箇所)との距離Ｌ２とは、  Ｌ２≦Ｌ１  の関係をもつことが望ましい。
【００４２】
この関係を有することにより、円環状を成す帯状の中間箇所のラインＣ１より外周側に配置されるＬＥＤモジュール２ａの光を、リフレクタ１ａｒ(図５、図７参照)にて反射させ、良好に集光することができる。
これにより、照明装置Ｓの下方向への光照射の配光性能の向上を図ることができる。
【００４３】
＜ＬＥＤ用ベース基板２ｂ＞
図５〜図７に示すＬＥＤ用ベース基板２ｂは、実装されるＬＥＤモジュール２ａに電流(電圧)を供給するための配線パターンが形成されている。ＬＥＤ用ベース基板２ｂは、略円板状の形状を有している。
ＬＥＤ用ベース基板２ｂは、ＬＥＤモジュール２ａの一部を鉛直方向にフィン１ｂと重ねて配置するための位置決めの構成を有している。
【００４４】
具体的には、図６に示すように、ＬＥＤ用ベース基板２ｂの外周部に、４か所の位置決め用の凸部２ｂ２が外周に外方に向けて突設されている。これに対して、放熱用ヒートシンク１のケース１ａの内面には、４か所の位置決め用の凸部２ｂ１が嵌入する４か所の位置決め用凹部１ｏが形成されている。
また、ＬＥＤ用ベース基板２ｂの外周部には、回転方向の位置を決める１箇所の切り欠き部２ｂ２が内方に向けて、切り欠いた形状に形成されている。
【００４５】
ＬＥＤ用ベース基板２ｂの４か所の位置決め用の凸部２ｂ１を、ケース１ａの４か所の位置決め用凹部１ｏに嵌入するとともに、切り欠き部２ｂ２にねじｎ５留めする。これにより、ケース１ａに対してＬＥＤ用ベース基板２ｂを位置決めして、ＬＥＤモジュール２ａの一部を鉛直方向にフィン１ｂと重ねて配置することができる。
また、ＬＥＤ用ベース基板２ｂには、固定用のねじｎ３が挿通される挿通孔が貫設されている。
【００４６】
＜本体支持ケース３ａ、本体支持ケースカバー３ｂ＞
図２、図３に示す本体支持ケース３ａは、筒状の樹脂製の部材である。本体支持ケース３ａ、本体支持ケースカバー３ｂの材質は、耐熱性がよい、強度が高い、表面の光沢があるなどの樹脂が好ましい。例えば、本体支持ケース３ａと本体支持ケースカバー３ｂの素材として、ポリカーボネイトが用いられる。
【００４７】
図３に示すように、本体支持ケース３ａは、下縁部から上部まで円錐形状の円錐部が形成されている。そして、円錐部の上部には、ＬＥＤモジュール２ａと電源装置ｋ１をつなぐ給電ケーブル９をゴムブッシュ３ｃで締め付け、ねじｎ４固定するキャップ状の支持ケースカバー部３ｂが形成されている。
【００４８】
円錐部の下縁部には、ケース取り付けフランジ３ａ１が円板状に外側方に突出して形成されている。そして、ケース取り付けフランジ３ａ１の上方には、パッキン取り付けフランジ３ａ２が円板状に外側方に突出して形成されている。
【００４９】
照明装置Ｓには、ＬＥＤモジュール２ａを過電流から保護する保護回路基板６が本体支持ケース３ａ内に備わっている。
【００５０】
＜放熱用ヒートシンク１とフィン１ｂのピッチ(間隔)との関係＞
次に、放熱用ヒートシンク１とフィン１ｂのピッチ(間隔)との関係について説明する。
図１１に、放熱用ヒートシンクにおけるフィンのピッチに対するＬＥＤモジュールの温度上昇とその重量の関係を示す。図１１の横軸にフィンピッチ（°）をとり、左縦軸にＬＥＤモジュールの温度上昇値(℃)をとり、右縦軸に放熱用ヒートシンク１の重量(ｇ)をとっている。図１１の実線は、フィン１ｂのピッチに対するＬＥＤモジュールの温度上昇値を示し、図１１の破線は、フィン１ｂのピッチに対する放熱用ヒートシンク１の重量を示す。
【００５１】
解析条件はＬＥＤモジュール２ａ全体の発熱量１１０ｗ、ヒートシンクの熱伝導率９６Ｗ／Ｍ・Ｋ、アルマイト処理した放熱用ヒートシンク１の放射率０．８  ５、フィン１ｂのピッチ５゜、１０゜、１５゜、２０゜、３０゜として行った。
【００５２】
図１１の実線に示すように、フィン１ｂのピッチが小さくなるにつれてＬＥＤモジュール２ａの温度上昇値も小さくなる。一方、図１１の破線に示すように、フィン１ｂのピッチが小さくなるにつれて放熱用ヒートシンク１の重量は増加する。特に、フィン１ｂのピッチ１０゜以下で放熱用ヒートシンク１の重量増加著しい。
【００５３】
よって、放熱用ヒートシンク１の軽量化と放熱能力の両方を考慮すると、フィン１ｂのピッチは８〜１５゜付近が望ましい。そこで、本実施形態では、フィン１ｂのピッチ８°を選択している。
【００５４】
＜照明装置Ｓの組み立ておよびその取り付け＞
次に、照明装置Ｓの組み立てについて説明する。
【００５５】
本体支持ケース３ａにゴムブッシュ３ｃを取付けた給電ケーブル９を挿入し、支持ケースカバー部３ｂで給電ケーブル９をゴムブッシュ３ｃで締め付け、ねじｎ４固定する。
【００５６】
一方、ＬＥＤモジュール２が実装されたＬＥＤ用ベース基板２ｂは、放熱用ヒートシンク１のケース１ａの天板１ａ１の内面に、ＬＥＤ用ベース基板２ｂの４か所の位置決め用の凸部２ｂ１を、ケース１ａの４か所の位置決め用凹部１ｏに嵌入するとともに、切り欠き部２ｂ２にねじｎ５留めして、ＬＥＤ用ベース基板２ｂをケース１ａに対してＬＥＤ用ベース基板２ｂが位置決めされる。
【００５７】
そして、ねじｎ３をＬＥＤ用ベース基板２ｂの挿通孔を通して放熱用ヒートシンク１のケース１ａに螺着して、ＬＥＤ用ベース基板２ｂが放熱用ヒートシンク１のケース１ａの天板１ａ１の内面に固定される。
【００５８】
そして、図７に示すように、ＬＥＤ用ベース基板２ｂを固定した放熱用ヒートシンク１が封止用パッキン８を挟んで本体支持ケース３ａとねじｎ２により固定される。
【００５９】
その後、透光性カバー４が、放熱用ヒートシンク１のケース１ａの下端部に、６か所をねじｎ１留めすることにより固定される。
【００６０】
最後にヒートシンク１にヒンジ１０でボルト止めし、さらにヒンジ１０に天井取付アーム５をボルト止めする。これにより、図２〜図５に示す照明装置Ｓが組み上がる。
【００６１】
図１(ａ)（ｂ）に示すように、照明装置Ｓは、作業員により天井や露出ボックスＲにボルトで固定したり、図１(ｃ)に示すように、壁取付アームｋ３を介して壁にボルトで固定して取り付ける。そして、給電ケーブル９を電源装置ｋ１と連結させる。
【００６２】
照明装置Ｓを天井に固定する場合は、図１(ａ)に示すように、照明装置Ｓに一体に設置されている天井取付アーム５にてボルトで固定する。天井取付アーム５は、側面視で略凹形状となるよう形成された部材である。天井取付アーム５により、照明装置Ｓ全体の重さを支えられれば良く、厚さや形状を特に定めるものではない。天井取付アーム５は、照明装置Ｓ全体の重さを支えるために、重量に耐えうる材料で形成することが望ましい。天井取付アーム５は、板状の天井部５ａと、天井部５ａの両端部と略垂直に設けられた板状のアーム部５ｂからなる。但し、アーム部５ｂの長さは、照明装置Ｓの最大半径Ｓｌよりも全長が短い。
【００６３】
照明装置Ｓにおいては、天井取付アーム５の天井部５ａのみが天井と（建造物と）接する。照明装置Ｓから発せられた熱を建造物に伝える際は、天井取付アーム５を介して伝熱することになる。そのため、天井取付アーム５は伝熱性の良い材料で形成することが望ましい。伝熱性が良く、重量に耐えうる材料ということで、天井取付アーム５は、鉄などの材料で形成することが望ましい。
本実施例では、天井取付アーム部５側から見た際に、天井取付アーム５の天井部５ａと、照明装置Ｓの本体底面部とは略平行となるように接続されている。
【００６４】
照明装置Ｓを露出ボックスＲに固定する場合は、図１(ｂ)に示すように、照明装置に一体に設置されている天井取付アーム５に別体の連結板ｋ２を介してボルトで固定する。この連結板ｋ２は、ＪＩＳＣ８３４０に対応した露出ボックスＲに照明装置Ｓを取付けるための部品であり、天井取付アーム５と同様に伝熱性が良く、重量に耐えうる鉄などの材料で形成することが望ましい。
【００６５】
照明装置Ｓを壁に固定する場合は、図１(ｃ)に示すように、照明装置Ｓに一体に設置されている天井取付アーム５に別体の壁取付アームｋ３を介してボルトで固定する。この壁取付アームｋ３は、天井取付アーム５と同様に伝熱性が良く、重量に耐えうる鉄などの材料で形成することが望ましい。
【００６６】
壁取付アームｋ３は、図１２に示すように、上面視で、略凹形状となるよう形成された部材である。壁取付アームｋ３により、照明装置Ｓ全体の重さを支えられれば良く、厚さや形状を特に定めるものではない。壁取付アームｋ３は、照明装置Ｓ全体の重さを支えるために、重量に耐えうる材料で形成することが望ましい。壁取付アームｋ３は、板状の壁部ｋ３ａと、壁部ｋ３ａの両端部と略垂直に設けられた板状のアーム部ｋ３ｂからなる。但し、アーム部ｋ３ｂの長さｋ３ｂｌは、照明装置Ｓの最大半径Ｓｌよりも全長が長い。照明装置Ｓにおいては、壁取付アームｋ３の壁部ｋ３ａのみが壁と（建造物と）接する。
【００６７】
図１２に示すように本実施例では、壁取付アームｋ３は、上面視で、略凹形状となるよう形成され、アーム部ｋ３は壁部ｋ３ａとのなす角が略直角な横板部ｋ３ｂ1と、前記横板部ｋ３ｂ1から延在し横板部ｋ３ｂ1とのなす角αが１２０°になる延在部ｋ３ｂ２からなる。
【００６８】
図１３に示すように、壁取付アームｋ３は、側面視で、壁取付アームｋ３の横長さｋ３ｂｌが、照明装置Ｓの最大半径Ｓｌより長くなっている。また、照明装置Ｓを壁取付アームｋ３に固定した状態においては、壁取付アームｋ３の最高高さ位置ｋ３ｈ及び最低高さ位置ｋ３ｌが、照明装置Ｓの最高高さ位置Ｓｈと最低高さ位置Ｓｌの範囲内に収まる。
【００６９】
また、壁取付アームｋ３は、壁部ｋ３ａを壁にボルト止めし、さらに壁取付アームｋ３は、天井取付アーム５の２枚の板状のアーム部５ｂにボルト止めされている。２枚の板状のアーム部５ｂへのボルト止めはそれぞれ２点止めで、その内の１点は点灯装置Ｓ本体底面が真下を向く位置から壁から離れる方向に６０°までの範囲内で回動できるようボルト止めされている。
【００７０】
これにより、図１(ａ)に示すように、照明装置Ｓを電源装置ｋ３と電気的に接続させ、照明器具Ｋとして機能する。
【００７１】
上記構成によれば、天井取付けと壁取付けを選択でき、かつ配光範囲が良好になるアーム形状を有するＬＥＤ照明器具を提供できる。
つまり、従来は図１４（ａ）に示すように、天井取付アーム５を壁取付アームとして使用する場合、照明装置Ｓと一体化されている天井取付アーム５を略直角に回動させ壁取付けするため、天井取付アーム５のアーム部５ｂの全長５ｂｌは、少なくとも照明装置Ｓの最大半径Ｓｌより長くしなければならなかった。このため、天井取付時は、壁取付時よりも天井と照明装置の高さ距離は長くなってしまう。言い換えれば、点灯装置と床面の距離は短くなってしまうため、配光範囲は狭くなる恐れがある。
【００７２】
そこで、図１４（ｂ）に示すように、照明装置の最大半径Ｓｌより長い壁取付アームｋ３と、照明装置の最大半径Ｓｌより短い天井取付アーム５と一体化されている照明装置Ｓとを別体とすることで、照明装置Ｓの取付位置として、天井取付けか壁取付けかを選択でき、かつ、天井取付アーム５の全長５ｂｌを長くする必要がないため、天井取付時の配光範囲を保持できる。
【００７３】
さらに、壁取付アームｋ３の形状について、壁部ｋ３ａとのなす角が略直角な横板部ｋ３ｂ１と、前記横板部ｋ３ｂ１から延在し前記横板部ｋ３ｂ１とのなす角αが鈍角（９０°＜α＜１８０°）になる延在部ｋ３ｂ２からなることで、照明装置Ｓを壁取付アームｋ３に固定した状態においては、壁取付アームｋ３の最高高さ位置ｋ３ｈ及び最低高さ位置ｋ３ｌが、照明装置Ｓの最高高さ位置Ｓｈと最低高さ位置Ｓｌの範囲内に収まるので、壁取付け時でも天井取付時と同様の配光範囲を保持できる。
【００７４】
さらに、図１３（ｂ）に示すように、天井取付アーム５と壁取付アームｋ３は、照明装置Ｓが回動できるように、天井取付アーム５の内側に壁取付アームｋ３がボルト止めされているため、略凹形状となるよう形成された天井取付アーム５の板状の天井部５ａが壁取付アームｋ３の延在部ｋ３ｂ２と接触することで、照明装置Ｓの最大可動範囲に達したことが容易に判定することができる。
【００７５】
以上のことから、照明装置の最大半径より短い天井取付アームと、別体で、かつ前記照明装置の最大半径より長い壁取付アームを有することで、天井取付けと壁取付けを選択でき、かつ配光範囲が良好になるアーム形状を有するＬＥＤ照明器具を提供することができる。
なお、本発明は前記した実施形態に限定されるものではなく、様々な実施形態が含まれます。例えば、上記した実施形態は本発明を分かり易く説明したものであり、必ずしも説明した全ての構成を備えるものに限定されるものではない。例えば、説明した構成の一部を含むものであってもよい。
【符号の説明】
【００７６】
１      放熱用ヒートシンク(ヒートシンク)
１ｏ    位置決め用凹部
１ａ    放熱用ヒートシンクの円錐台状のケース
１ａ１  ケースの円板状の天板
１ａ２  ケースの下方に向けて円錐状に広がる円錐板
１ｓ    ケースの側縁
１ｕ    ケースの下縁
１ａｒ  リフレクタ(反射部材)
１ｂ    フィン(放熱フィン)
１ｂ１  フィンの外方に傾斜する傾斜面
１ｃ    強度フィン (強度部材兼用放熱フィン)
２      ＬＥＤ基板アセンブリ
２ａ    ＬＥＤモジュール(ＬＥＤ)
２ａ１  ＬＥＤモジュールの帯列の内縁
２ａ２  ＬＥＤモジュールの帯列の外縁
２ｂ    ＬＥＤ用ベース基板(基板)
２ｂ１  ＬＥＤ用ベース基板２ｂのＬＥＤモジュール２ａの実装面位置決め用の凸部
２ｂ２  切り欠き部
３ａ    本体支持ケース
３ａ１  ケース取り付けフランジ
３ａ２  パッキン取り付けフランジ
３ｂ    本体支持ケースカバー
３ｃ    ゴムブッシュ
４      透光性カバー
５      天井取付けアーム
５ａ    板状の天井部
５ｂ    板状のアーム部
５ｂｌ  板状のアーム部長さ
６      保護回路基板
７      封止用パッキンＡ
８      封止用パッキンＢ
９      給電ケーブル
１０    ヒンジ
Ｏ      中心軸
Ｃ１    内縁と外縁の中間ライン
Ｌ１    鉛直方向寸法(基板のＬＥＤ実装面から最遠の前記反射部材の端縁までの寸法)
Ｌ２    距離(複数のＬＥＤが配置される領域の前記真ん中から前記外縁までの寸法)
Ｓ      照明装置
Ｓｌ    照明装置Ｓの最大半径
Ｓｈ    照明装置Ｓの最高高さ位置
Ｓｌ    照明装置Ｓの最低高さ位置
Ｒ      露出ボックス
Ｋ      照明器具
ｋ１    電源装置
ｋ２    連結板
ｋ３    壁取付アーム
ｋ３ａ  壁取付アームの壁部
ｋ３ｂ１  壁取付アームの横板部
ｋ３ｂ２  壁取付アームの横板部の延在部
ｋ３ｂｌ  壁取付アームのアーム部の横長さ
ｋ３ｈ  壁取付アームｋ３の最高高さ位置
ｋ３ｌ  壁取付アームｋ３の最低高さ位置
ｎ１    ねじ
ｎ２    ねじ
ｎ３    ねじ
ｎ４    ねじ
ｎ５    ねじ
θ１    複数のフィン１ｂの角度ピッチ
θ２    沿直方向の照明装置Ｓの中心軸Ｏから放射状に配置された一部のＬＥＤモジュ
ール２ａの角度ピッチ
θ３    光の最大強さpeak値の１／２の強さの箇所を結んだ線間の角度  
α      横板部ｋ３ｂ1と延在部ｋ３ｂ２のなす角
【図１】
0006375247.tif 000002
【図２】
0006375247.tif 000003
【図３】
0006375247.tif 000004
【図４】
0006375247.tif 000005
【図５】
0006375247.tif 000006
【図６】
0006375247.tif 000007
【図７】
0006375247.tif 000008
【図８】
0006375247.tif 000009
【図９】
0006375247.tif 000010
【図１０】
0006375247.tif 000011
【図１１】
0006375247.tif 000012
【図１２】
0006375247.tif 000013
【図１３】
0006375247.tif 000014
【図１４】
0006375247.tif 000015